(57)【特許請求の範囲】
【請求項１】
おねじを有する円筒状注出口と、
注出口のおねじに係合するめねじを有し、注出口に装着される円筒状キャップとを備え、
キャップはキャップ本体と、キャップ本体に薄肉部を介して連結されたリングとを有し、
リング内面に所定問隙をおいて複数のリングラチェットが設けられ、
注出口外面に、リングラチェットと係合してリングの閉方向の動作を係止する第１係止部と、リングラチェットと係合してリングの開方向の動作を係止する第２係止部とを設け、
リングラチェットはリングの閉方向の動作時に第２係止部を乗り越え、
注出口上端にシール材が取付けられるとともに、キャップに注出口上端が進入可能となる空間が形成され、
注出口上端はリングラチェットと第１係止部との係合時にキャップの空間の直前に位置することを特徴とする注出口とキャップとの組合体。
【請求項２】
リングの下端周縁に内方へ突出する円周突部が設けられ、
注出口外面に、軸方向においてリングの円周突部に係合する止め部が設けられていることを特徴とする請求項１記載の注出口とキャップとの組合体。
【請求項３】
おねじを有する円筒状注出口と、
注出口のおねじに係合するめねじを有し、注出口に装着される円筒状キャップとを備え、
キャップはキャップ本体と、キャップ本体に薄肉部を介して連結されたリングとを有し、
注出口上端にシール材が取付けられるとともに、キャップに注出口上端が進入可能となる空間が形成され、リング内面に所定間隙をおいて複数のリングラチェットが設けられ、注出口外面にリングラチェットと係合してリングの閉方向の動作を係止する第１係合部が設けられ、注出口上端はリングラチェットと第１係合部との係合時にキャップの空間の直前に位置することを特徴とする注出口とキャップとの組合体。
【発明の詳細な説明】
【０００１】
【発明の属する技術分野】
本発明は注出口とキャップとの組合体に係り、とりわけ注出口からキャップを取外したことを容易に確認することができる注出口とキャップとの組合体に関する。
【０００２】
【従来の技術】
従来より、例えば飲料水を内部に収納した柔軟容器が知られている。この柔軟容器には注出口が取付けられており、この注出口にはキャップがねじ込まれて装着される。この場合、キャップはキャップ本体と、キャップ本体に薄肉部を介して連結されたリングとを有している。
【０００３】
キャップを注出口から取外す場合、キャップのリングが注出口に固定され、薄肉部が破断してキャップ本体とリングとが分離されキャップ本体のみが注出口から取外される。
【０００４】
このようにキャップ取外時に、キャップ本体とリングとが分離されることにより、外方よりキャップの取外しを確認することができる。
【０００５】
【発明が解決しようとする課題】
ところで、注出口からの内容物の漏洩を防止するため、注出口上端にシール材を取付けることがある。この場合、シール材を注出口上端から剥離する前には、キャップによりシール材が破断しないよう注出口にキャップを浅く装着し、シール材を注出口上端から剥離した後には注出口とキャップとの密封性を高めるため注出口にキャップを深く装着する必要がある。
【０００６】
本発明はこのような点を考慮してなされたものであり、注出口からシール材を剥離する前には注出口にキャップを浅く装着し、シール材を注出口から剥離した後には注出口にキャップを深く装着することができる注出口とキャップとの組合体を提供することを目的とする。
【０００７】
【課題を解決するための手段】
本発明は、おねじを有する円筒状注出口と、注出口のおねじに係合するめねじを有し、注出口に装着される円筒状キャップとを備え、キャップはキャップ本体と、キャップ本体に薄肉部を介して連結されたリングとを有し、リング内面に所定問隙をおいて複数のリングラチェットが設けられ、注出口外面に、リングラチェットと係合してリングの閉方向の動作を係止する第１係止部と、リングラチェットと係合してリングの開方向の動作を係止する第２係止部とを設け、リングラチェットはリングの閉方向の動作時に第２係止部を乗り越え、注出口上端にシール材が取付けられるとともに、キャップに注出口上端が進入可能となる空間が形成され、注出口上端はリングラチェットと第１係止部との係合時にキャップの空間の直前に位置することを特徴とする注出口とキャップとの組合体である。
本発明は、おねじを有する円筒状注出口と、注出口のおねじに係合するめねじを有し、注出口に装着される円筒状キャップとを備え、キャップはキャップ本体と、キャップ本体に薄肉部を介して連結されたリングとを有し、注出口上端にシール材が取付けられるとともに、キャップに注出口上端が進入可能となる空間が形成され、リング内面に所定間隙をおいて複数のリングラチェットが設けられ、注出口外面にリングラチェットと係合してリングの閉方向の動作を係止する第１係合部が設けられ、注出口上端はリングラチェットと第１係合部との係合時にキャップの空間の直前に位置することを特徴とする注出口とキャップとの組合体である。
【０００８】
本発明によれば、キャップを装着する際、注出口に対してキャップのリングを閉じる方向に回転させる。この場合、キャップのリングに設けられたリングラチェットが注出口の第２係止部を乗り越え、第１係止部に係合してリングの閉方向の動作を係止する。キャップを取外す際、注出口に対してキャップのキャップ本体を開く方向に回転させる。この場合、リングラチェットが注出口の第２係止部に係合してリングの開方向の動作を係止する。更にキャップ本体を回転させると、リングとキャップ本体との間に設けられた薄肉部が破断して、リングとキャップ本体とが分離する。
【０００９】
また、本発明によれば、注出口上端にシール材を取付けた場合に、注出口上端をキャップの空間の直前で停止させ、注出口上端からシール材を取り外した後に注出口上端をキャップの空間内へ進入させて密封性を高める。
【００１０】
【発明の実施の形態】
以下、図面を参照して本発明の実施の形態について説明する。
【００１１】
図１乃至図７は本発明の実施の形態を示す図である。
【００１２】
図１乃至図７に示すように、注出口とキャップとの組合体は、円筒状注出口１０と、この注出口１０に装着されるキャップ２０とを備えている。ここで図１（ａ）は図１（ｂ）のＡ−Ａ線断面図、図２（ａ）は図２（ｂ）のＡ−Ａ線断面図、図３（ａ）は図３（ｂ）のＡ−Ａ線断面図である。
【００１３】
注出口１０はフランジ１２を境として容器Ｐ内側へ延びるとともにフランジ１１ａを有する内側筒部１１と、容器Ｐの外側へ延びる外側筒部１３とを有している（図７参照）。また外側筒部１３の外面にはおねじ１４が設けられている。図７において、内側筒部１１には容器Ｐが取付けられる取付リブ３３と、容器Ｐ内の内容物を案内する十字リブ３４とが順次取付けられており、十字リブ３４の上端３４ａはテーパ状となって内容物を容器Ｐ内にスムースに充てんすることができるようになっている。
【００１４】
一方、キャップ２０は、外側筒部１３のおねじ１４に係合するめねじ２２が内面に設けられたキャップ本体２１と、キャップ本体２１に薄肉部２４を介して連結されたリング２３とを有している。
【００１５】
図１（ｂ）、図２（ｂ）および図３（ｂ）に示すように、リング２３の下端には、内方へ突出する円周突部２６が円周方向に全周にわたって設けられており、またリング２３の上端には、円周方向に所定間隙をおいて複数、例えば４個のリングラチェット２７が設けられている。
【００１６】
なお、円周突部２６は、後述するように止め部１５と係合してリング２３の落下を防止することができるように設ければよいので、円周方向に部分的に設けてもよい。
【００１７】
次に注出口１０について、図１乃至図４により更に詳述する。図１乃至図４に示すように、注出口１０の外側筒部１３の外面には、リング２３のリングラチェット２７と円周方向において係合してリング２３の閉方向の動作を係止する第１係止部１６が円周方向に所定間隔をおいて複数、例えば４個設けられている（図４参照）。すなわち注出口１０の第１係止部１６とリング２３のリングラチェット２７は、注出口１０にキャップ２０を装着する際、リング２３を閉方向に回転させると互いに係合し、これによりリング２３の閉方向の動作を係止するようになっている。
【００１８】
また外側筒部１３の外面には、リング２３のリングラチェット２７と円周方向において係合してリング２３の開方向の動作を係止する第２係止部１７が円周方向に所定間隔をおいて複数、例えば２個設けられている。すなわち注出口１０の第２係止部１７とリング２３のリングラチェット２７は、注出口１０に装着されたキャップ２０を取外す際リング２３を開く方向に回転させると互いに係合し、リング２３の開方向の動作を係止するようになっている。
【００１９】
この場合、キャップ２０を更に回転させるとリング２３が注出口１０側に残り、キャップ本体２１が薄肉部２４を介してリング２３から分離され、キャップ本体２１のみが注出口１０から取外されるようになっている。
【００２０】
また、第２係止部１７には、リング２３を閉方向に動作させた場合にリングラチェット２７が第２係止部１７を乗越えることができるようなテーパ１７ａが形成されている。
【００２１】
また、図４に示すように注出口１０の外側筒部１３の外面には、第１係止部１６間の位置にリング２３の円周突部２６と軸方向において係合する止め部１５が円周方向に所定間隔をおいて複数例えば４個設けられている。
【００２２】
注出口１０に設けられた止め部１５は、使用時にキャップ本体２１とリング２３とを薄肉部２４を介して破断し、容器Ｐおよび注出口１０を引繰り返して注出口１０から容器内の内容物を飲む場合、リング２３の円周突部２６に係合してリング２３の落下を防止するものである。
【００２３】
また、図４に示すように、注出口１０の外側筒部１３外面に設けられた止め部１５のうち例えば２個の止め部１５には、フランジ１２側へ延びる突起１５ａが設けられている。この突起１５ａはキャップ本体２１から分離したリング２３をガタつくことなく、注出口１０の外側筒部１３外面に保持するものである。
【００２４】
なお、図２（ａ）に示すように、リング２３のリングラチェット２７が第２係止部１７に係合した場合、リング２３側のリングラチェット２７と、注出口１０側の第１係止部１６および止め部１５とは円周方向に関して互いにずれて配置されている。このためキャップ本体２１とリング２３とを分離した場合、リング２３がスムーズに注出口１０のフランジ１２側へ落下するようになっている。
【００２５】
また、図５に示すように、キャップ２０のキャップ本体２１とリング２３に、キャップ２０を注出口１０にねじ込む際互いに係合する係合突起２１ａ、２３ａが円周方向に関して相対向する位置に各々設けられている。このような係合突起２１ａ、２３ａによって、キャップ２０を注出口１０にねじ込む際、薄肉部２４が破断することを未然に防止することができる。
【００２６】
また図１（ｂ）および図２（ｂ）に示すように、注出口１０の外側筒部１３の上端には密封シール材３０が取付けられている。さらにキャップ本体２１には下方へ突出するインナーリング３２が設けられ、インナーリング３２の外側には外側筒部１３の上端が進入可能となる空間３１が形成されている。
【００２７】
外側筒部１３の上端はリング２３のリングラチェット２７と第１係止部１６とが係合した場合、キャップ本体２１の空間３１の直前に停止し、空間３１内へは進入しないようになっている。この空間３１内にはキャップ本体２１側から突出するコンタクトリング３１ａが設けられている。
【００２８】
なお、上記構成部材のうち注出口１０はＨＤＰＥ、ＬＬＤＰＥ、ＰＰ、ＨＩＰＳ、ＡＢＳ、ＡＳ、ＰＣ、Ｎｙ等から形成され、またキャップ２０はＬＬＤＰＥ、ＨＤＰＥ、ＰＰ、ＨＩＰＳ、ＡＢＳ、ＡＳ、ＰＣ、Ｎｙ等から形成される。
【００２９】
次にこのような構成からなる本実施の形態の作用について説明する。
【００３０】
まず、容器Ｐ内面に対して注出口１０の取付リブ３３外面がヒートシールされ、このようにして注出口１０が容器Ｐに取付けられる。
【００３１】
次に注出口１０から容器Ｐ内に飲料水等の内容物が、例えば９０℃程度の温度で充てんされ、充てん後、注出口１０の付着物が８０℃程度の温水で洗浄される。次に注出口１０の外側筒部１３上端にシール材３０が１８０℃〜２００℃のシール温度で取付けられ、容器Ｐ内の内容物がレトルト処理される。その後注出口１０側のおねじ１４とキャップ２０側のめねじ２２とを係合させて注出口１０にキャップ２０が閉方向にねじ込まれ、キャップ２０が注出口１０のフランジ１２側へ接近する。この場合、キャップ２０は例えば締めトルク５ｋｇｆ〜１０ｋｇｆ、回転数３０ｈｚ〜６０ｈｚのオートドライバ（図示せず）を使用してねじ込むことができる。
【００３２】
この間、リング２３の円周突部２６が止め部１５を乗越える。このためリング２３がキャップ本体２１と分離しても、リング２３が注出口１０から抜け落ちることはない。その後注出口１０側の第２係止部１７のテーパ１７ａ上を、キャップ２０側のリングラチェット２７が乗り越える。次にリングラチェット２７が第１係止部１６に係合してリング２３の閉方向の動作が係止される。注出口１０へキャップ２０をねじ込む場合、上述のように、キャップ本体２１の係合突起２１ａとリング２３の係合突起２３ａが係合するので、キャップ本体２１とリング２３との間に設けられた薄肉部２４が破断することはない。
【００３３】
このようにリングラチェット２７と第１係止部１６とが係合した場合、図１（ａ）（ｂ）に示すように、外側筒部１３の上端はキャップ本体２１の空間３１の直前に停止し、容器３１内に進入することはない。このため外側筒部１３の上端に設けられたシール材３０がインナーリング３２により破断することはない。
【００３４】
使用に際しては、図２（ａ）（ｂ）に示すように、まず使用者がキャップ２０のキャップ本体２１を把持し、キャップ２０を注出口１０から緩める開方向（ねじ込み方向と逆方向）に１０゜程度回転させる。この場合、注出口１０側の第２係止部１７とキャップ２０側のリングラチェット２７とが円周方向において係合し、リング２３の開方向の動作が係止されてリング２３が注出口１０側に固定される。このため、キャップ本体２１のみが注出口１０から緩める開方向に回転し、キャップ本体２１とリング２３との間の薄肉部２４が破断してキャップ本体２１とリング２３とが分離する。
【００３５】
更にキャップ本体２１を注出口１０に対して緩める開方向に回転させることによって、注出口１０側のおねじ１４と、キャップ本体２１側のめねじ２２との係合が解除してキャップ本体２１のみが注出口１０から取外される。
【００３６】
この間、キャップ本体２１から分離したリング２３は、その自重により注出口１０の外側筒部１３に沿って摺動しながらフランジ１２側へ約２ｍｍ落下する。この場合、リング２３のリングラチェット２７は、注出口１０側の止め部１５、第１係止部１６および第２係止部１７のいずれとも円周方向に関してずれて配置されているため、リング２３はその自重によってスムーズにフランジ１２側へ落下することができる。また注出口１０側には止め部１５から延びる突起１５ａが設けられているので、リング２３がフランジ１２側へ落下する際、リング２３内面がこの突起１５ａにガイドされることになる。このためリング２３の落下時にリング２３が注出口１０外周においてガタついて外れることはない。
【００３７】
次に使用者は外側筒部１３上端のシール材３０を取り外し、注出口１０を容器Ｐごと引繰り返し、注出口１０を口にあてて内容物（飲料水、ナタデココ、コンニャク等）を注出口１０から飲みほす。この場合、リング２３の円周突部２６が注出口１０の止め部１５に係合するので、容器Ｐを引繰り返した場合に、リング２３が注出口１０の先端から使用者の口側へ落下してしまうことはない。
【００３８】
その後使用者は、容器Ｐを注出口１０が上方を向く元の状態まで戻し、次に注出口１０に対してキャップ本体２１を再度装着する。この場合、キャップ２０はキャップ本体２１とリング２３とが分離した状態となっているので、キャップ本体２１を外側筒部１３に対してより深くねじ込むことができる。このとき外側筒部１３の上端はキャップ本体２１の空間３１内に進入して、インナーリング３２と摺動しかつコンタクトリング３１ａに当接する。このため外側筒部１３とキャップ本体２１との密封性を高めることができる（図３（ａ）（ｂ）参照）。
【００３９】
またキャップ本体２１とリング２３とが分離した状態となっていることをことを外部から確認することにより、キャップ２０を一度取外したことを容易に認識することができる。
【００４０】
以上のように本実施の形態によれば、外側筒部１３からシール材３０を取外す前は、リング２３のリングラチェット２７を第１係止部１６に係合させてリング２３の閉方向の動作を係止することにより、シール材３０の破断を防止することができる。またリングラチェット２７を第２係止部１７に係合させてリング２３の開方向の動作を係止し、キャップ本体２１とリング２３とを分離してシール材３０を取外した後は、外側筒部１３をキャップ本体２１の空間３１内に進入させることができ、外側筒部１３とキャップ本体２１との密封性を向上させることができる。
【００４１】
なお、図３（ｂ）に示すようにキャップ本体２１のインナーリング３２の下方に更に突出部３３を設けてもよい。この場合、リングラチェット２７と第１係止部１６との係合時に、外側筒部１３のシール部材３０に突出部３３の下端を当接させることにより、注出口１０にキャップ２０がねじ込まれた時のガタつきを防止することができる。
【００４２】
【発明の効果】
以上のように本発明によれば、キャップ装着時にリングを閉じる方向に回転させると、リングラチェットが第１係止部に係合してリングの閉方向の動作を係止する。キャップを取外す際、キャップのキャップ本体を緩める方向に回転させると、リングラチェットと第２係止部が係合し、その後薄肉部が破断してリングとキャップ本体とが分離する。次にまた使用者がキャップを装着する場合、キャップ本体とリングとが分離しているので、キャップ本体を外側筒部に対してより深く締め付けることができる。さらに注出口上端にシール材を取付けた場合に注出口上端をキャップの空間の直前で停止させてシール材の破断を防止し、シール材を取り外した後は注出口上端をキャップの空間内へ進入させて密閉性を向上させることができる。
【図面の簡単な説明】
【図１】本発明による注出口とキャップとの組合体を示す装着時の側断面図。
【図２】本発明による注出口とキャップとの組合体を示す取外時の側断面図。
【図３】本発明による注出口とキャップとの組合体を示す再装着時の断面図。
【図４】注出口を示す斜視図。
【図５】キャップを示す斜視図。
【図６】キャップ本体の空間を示す図。
【図７】容器と注出口を示す図。
【符号の説明】
１０  注出口
１１  内側筒部
１２  フランジ
１３  外側筒部
１５  止め部
１６  第１係止部
１７  第２係止部
２０  キャップ
２１  キャップ本体
２３  リング
２４  薄肉部
２６  円周突部
２７  リングラチェット
３０  シール材
３１  空間
３１ａ  コンタクトリング
３２  インナーリング
【図１】
0004360704.tif 000002
【図２】
0004360704.tif 000003
【図３】
0004360704.tif 000004
【図４】
0004360704.tif 000005
【図５】
0004360704.tif 000006
【図６】
0004360704.tif 000007
【図７】
0004360704.tif 000008